(57)【要約】【課題】ランキンサイクルにおけるエネルギーの回収量の向上を図りつつ、内燃機関の出力の向上を実現し、かつ耐久性と搭載性とが高い廃熱利用装置を提供する。【解決手段】実施例の廃熱利用装置は、駆動系１に用いられるランキンサイクル３を備えている。駆動系１は、エンジン５と、外気を吸入してエンジン５に対して加圧空気を供給するターボチャージャ７と、配管９とを有する駆動系１とを有している。配管９は、エンジン５で生じた排気の一部をエンジン５に還流排気として還流させる。この配管９を流通する還流排気は、加圧空気と混合されて混合空気とされる。ランキンサイクル３は、電動ポンプＰ１と、ボイラ１９と、膨張機２１と、凝縮器２３とを有しており、これらの間で作動流体が循環する。ボイラ１９では、混合空気と作動流体との熱交換が行われ、作動流体が加熱されるとともに、混合空気が冷却される。【選択図】図１
2013068139.tif 000002
【特許請求の範囲】
【請求項１】
内燃機関を有する駆動系に用いられ、ボイラを有して作動流体を循環させるランキンサイクルを備えた廃熱利用装置において、
前記駆動系は、外気を吸入して前記内燃機関に対して加圧空気を供給する過給器と、該内燃機関で生じた排気の一部を該内燃機関に還流排気として還流させる排気還流路とを有し、
該外気又は該加圧空気と該還流排気とが混合されて混合空気とされ、
前記ボイラは、該混合空気と前記作動流体との間で熱交換を行うことを特徴とする廃熱利用装置。
【請求項２】
前記混合空気は、前記加圧空気と前記還流排気とが混合されている請求項１記載の廃熱利用装置。
【請求項３】
前記ボイラはステンレス製である請求項１又は２記載の廃熱利用装置。
【発明の詳細な説明】
【技術分野】
【０００１】
本発明は廃熱利用装置に関する。
【背景技術】
【０００２】
特許文献１の図２に従来の廃熱利用装置が開示されている。この廃熱利用装置は、駆動系に用いられ、第１、２ボイラを有して作動流体を循環させるランキンサイクルを備えている。駆動系は、エンジンと、エンジンに加圧空気を供給するターボチャージャとを有している。ランキンサイクルにおける第１ボイラは、加圧空気と作動流体との間で熱交換を行うことで作動流体を加熱させる。第２ボイラは、エンジンの冷却水と作動流体との間で熱交換を行うことで作動流体を加熱させる。第２ボイラは、第１ボイラよりも作動流体の循環方向の下流側に位置している。また、第２ボイラの下流には膨張機が設けられている。
【０００３】
このような廃熱利用装置では、第１、２ボイラによって作動流体を加熱することが可能であることから、膨張機に流入する作動流体の温度を高くすることが可能となる。また、この廃熱利用装置では、第１、２ボイラにおける熱交換により、加圧空気や冷却水を冷却することが可能となるため、エンジンの出力を向上させることも可能となっている。
【先行技術文献】
【特許文献】
【０００４】
【特許文献１】特開２００８−８２２４号公報
【発明の概要】
【発明が解決しようとする課題】
【０００５】
ところで、ランキンサイクルにおいて回収可能なエネルギーの量を大きくするためには、膨張機内で膨張した後でも作動流体が気化された状態が維持されている必要がある。このことは、膨張機を保護して廃熱利用装置の耐久性を向上させる観点からも必要とされる。膨張機内における作動流体の膨張が不完全な場合、回収可能なエネルギーの量が小さくなるばかりか、膨張機から液相の作動流体が流出する液バック現象が生じ、膨張機が損傷するおそれも生じるためである。
【０００６】
そこで、膨張機内で作動流体を好適に膨張させるために、膨張機に流入させる作動流体について、飽和蒸気となる温度を超えた過熱蒸気温度（スーパーヒート）程度まで十分に加熱することが好ましい。
【０００７】
この点、上記従来の廃熱利用装置では、第２ボイラが第１ボイラよりも作動流体の循環方向の下流側に位置しているため、膨張機に流入する作動流体の温度が第２ボイラ内で放熱された熱量、すなわち、エンジンのような内燃機関の冷却水の温度に依存することとなる。一般的に、冷却水の温度は加圧空気の温度よりも低温となるため、上記の廃熱利用装置では、第１ボイラによって加熱された作動流体が逆に第２ボイラ内で冷却水に対して放熱を行うことで、膨張機に流入する作動流体の温度が低下してしまう事態が生じるからである。このため、上記の廃熱利用装置では、スーパーヒートの状態まで作動流体を加熱し難く、ランキンサイクルにおいて回収可能なエネルギーの量が不十分となるとともに、その耐久性の低下も懸念される。
【０００８】
また、上記の廃熱利用装置は、第１、２ボイラの二つが存在することから、大型化し、車両等への搭載性が低下するという問題も生じることとなる。
【０００９】
本発明は、上記従来の実情に鑑みてなされたものであって、ランキンサイクルにおけるエネルギーの回収量の向上を図りつつ、内燃機関の出力の向上を実現し、かつ耐久性と搭載性とが高い廃熱利用装置を提供することを解決すべき課題としている。
【課題を解決するための手段】
【００１０】
本発明の廃熱利用装置は、内燃機関を有する駆動系に用いられ、ボイラを有して作動流体を循環させるランキンサイクルを備えた廃熱利用装置において、
前記駆動系は、外気を吸入して前記内燃機関に対して加圧空気を供給する過給器と、該内燃機関で生じた排気の一部を該内燃機関に還流排気として還流させる排気還流路とを有し、
該外気又は該加圧空気と該還流排気とが混合されて混合空気とされ、
前記ボイラは、該混合空気と前記作動流体との間で熱交換を行うことを特徴とする（請求項１）。
【００１１】
本発明の廃熱利用装置はランキンサイクルを備えている。このランキンサイクルは、駆動系に用いられ、ボイラを有して作動流体を循環させる。駆動系は、内燃機関と、外気を吸入して内燃機関に対して加圧空気を供給する過給器と、内燃機関で生じた排気の一部を内燃機関に還流排気として還流させる排気還流路とを有している。そして、この還流排気は外気又は加圧空気と混合されて混合空気とされる。なお、外気と還流排気とが混合されて混合空気となった場合、この混合空気は過給器によって圧縮されることとなる。
【００１２】
発明者らの知見によれば、内燃機関で生じた排気、すなわち還流排気の温度は約５００°Ｃ程度となっている。また、加圧空気の温度は約１５０°Ｃ程度となっている。このため、還流排気が外気と混合された混合空気であっても、還流排気が加圧空気と混合された混合空気であっても、これらの混合空気は高温となる。
【００１３】
そして、この廃熱利用装置のランキンサイクルでは、ボイラにおいて、上記のような高温の混合空気と作動流体とが熱交換される。これにより、ボイラによって作動流体を十分に加熱でき、膨張機に流入する作動流体をスーパーヒートの状態又はスーパーヒートに近い状態とすることが可能となる。このため、この廃熱利用装置では、膨張機における作動流体の膨張及び減圧時によって生じる圧力エネルギーを大きくすることが可能となる。また、このように作動流体が十分に加熱された状態であることから、膨張機内で作動流体が液化することが防止される。これらのため、この廃熱利用装置では、ランキンサイクルにおいて回収可能なエネルギーの量が多くなるとともに、液バック現象が抑制されて膨張機も損傷し難くなる。
【００１４】
一方、ボイラにおける熱交換により混合空気は冷却されるため、混合空気の密度が大きくなる。このため、この廃熱利用装置では、内燃機関に対してより多くの混合空気（加圧空気）を供給可能となる。また、このように混合空気が冷却されることで、還流排気も冷却されることとなる。このため、この廃熱利用装置では、内燃機関の出力を向上できる他、最終的に大気中に放出された際の排気中における窒素酸化物の含有量を低減させることも可能となる。
【００１５】
さらに、この廃熱利用装置では、ボイラにおいて混合空気と作動流体とが熱交換を行うことで、一つのボイラにおいて、外気又は加圧空気と作動流体との熱交換と、還流排気と作動流体との熱交換とを同時に行うことが可能となっている。このため、この廃熱利用装置では、省スペース化を実現することが可能となる。
【００１６】
したがって、本発明の廃熱利用装置によれば、ランキンサイクルにおけるエネルギーの回収量の向上を図りつつ、内燃機関の出力の向上が実現可能であるとともに、耐久性及び搭載性を高くすることができる。
【００１７】
なお、本発明の廃熱利用装置において、外気又は加圧空気と還流排気とはいずれも気相であり、加圧空気（外気）と還流排気とを混合させた後に、一つのボイラにおいて、加圧空気と作動流体との熱交換と、還流排気と作動流体との熱交換とを同時に行うことが可能となっている。この点、上記従来の廃熱利用装置では、作動流体と熱交換を行う対象が気相である加圧空気と、液相である冷却水とである。このため、上記従来の廃熱利用装置では、加圧空気と冷却水とを混合させた後、一つのボイラで作動流体と加圧空気及び冷却水との熱交換を同時に行うということが不可能である。
【００１８】
本発明の廃熱利用装置において、内燃機関としては、ガソリンエンジンやディーゼルエンジン等の他、種々の形式のエンジンを採用することができる。また、これらのエンジンはモータを組み合わせたハイブリッドエンジンでも良い。さらに、これらのエンジンは空冷式でも水冷式でも良い。一方、過給器としては、ターボチャージャやスーパーチャージャ等を採用することができる。なお、内燃機関や過給機は複数であっても良い。
【００１９】
上記のように、本発明の廃熱利用装置において、外気と還流排気とが混合されて混合空気となった場合、この混合空気は過給器のコンプレッサ部に吸引されて、圧縮されることとなる。排気である還流排気には硫黄成分が含まれる。このため、混合空気中に硫黄成分が含まれることとなり、混合空気を吸引する過給器のコンプレッサ部は、硫黄成分に対して耐性を有する材質とする必要がある。この場合、過給器の製造コストが上昇し、ひいては、廃熱利用装置の製造コストが上昇することとなる。
【００２０】
このため、ボイラにおいて作動流体と熱交換される混合空気は、加圧空気と還流排気とが混合されていることが好ましい（請求項２）。この場合、過給器のコンプレッサ部には外気のみが吸引されるため、過給器のコンプレッサ部に用いられる材質に対する制限を緩和することが可能となる。このため、廃熱利用装置の製造コストの上昇を抑制することが可能となる。また、上記のように、加圧空気の温度は１５０°Ｃ程度であり、外気の温度よりもはるかに高くなっている。このため、外気と還流排気とが混合された場合よりも混合空気の温度をより高い状態とすることができる。このため、ランキンサイクルで回収可能なエネルギーの量をより多くすることが可能となる。
【００２１】
また、ボイラでは、混合空気と作動流体との熱交換が行われるため、ボイラ自体も混合空気中の硫黄成分の影響を受けることとなる。このため、ボイラはステンレス製であることが好ましい（請求項３）。ステンレスは硫黄成分に対する耐性が高いため、ボイラの耐久性を高くすることができ、ひいては、廃熱利用装置の耐久性を高くすることができる。ここで、上記のように、加圧空気と還流排気とを混合して混合空気とすれば、ボイラのみステンレス製とし、過給器のコンプレッサ部がアルミニウム合金製の公用品の過給器を採用することができる。このため、ボイラをステンレス製とした場合であっても、廃熱利用装置の製造コストの上昇を抑制することができる。
【発明の効果】
【００２２】
本発明の廃熱利用装置によれば、ランキンサイクルにおけるエネルギーの回収量の向上を図りつつ、内燃機関の出力の向上が実現可能であるとともに、耐久性及び搭載性を高くすることができる。
【図面の簡単な説明】
【００２３】
【図１】実施例の廃熱利用装置を示す模式構造図である。
【図２】実施例の廃熱利用装置に係り、作動中の状態を示す模式構造図である。
【発明を実施するための形態】
【００２４】
以下、本発明を具体化した実施例を図面を参照しつつ説明する。
【００２５】
（実施例）
実施例の廃熱利用装置は、車両に搭載され、図１に示すように、車両の駆動系１に用いられている。この廃熱利用装置は、ランキンサイクル３と、制御装置１０とを備えている。
【００２６】
駆動系１は、内燃機関としてのエンジン５と、過給器としてのターボチャージャ７と、排気還流路としての配管９とを有している。エンジン５は、公知の水冷式ディーゼルエンジンである。エンジン５の内部には冷却水が流通可能なウォータジャケット（図示略）が形成されている。エンジン５には、このウォータジャケットとそれぞれ連通する流出口と流入口と（いずれも図示を省略する。）が形成されている。さらに、エンジン５には、排気を排出する排気口５ａと、後述する混合空気を吸入する吸気口５ｂとが形成されている。
【００２７】
ターボチャージャ７にはコンプレッサ部（図示略）がアルミニウム合金製で、かつ、タービン部（図示略）が耐熱合金製の公用品が採用されている。ターボチャージャ７は、エンジン５から生じた排気によって作動され、外気を吸入してエンジン５に対して加圧空気を供給する。
【００２８】
エンジン５とターボチャージャ７とは配管１１〜１３によって接続されている。また、配管１２と配管１３とには後述するボイラ１９が接続されている。配管１１は内部を排気が流通可能となっており、エンジン５の排気口５ａとターボチャージャ７とに接続されている。配管１２は内部を加圧空気と混合空気とが流通可能となっており、ターボチャージャ７と、ボイラ１９の第１流入口１９ａとに接続されている。配管１３は内部を混合空気が流通可能となっており、ボイラ１９の第１流出口１９ｂと、エンジン５の吸気口５ｂとに接続されている。
【００２９】
さらに、ターボチャージャ７には、配管１４、１５の各一端側が接続されている。配管１４の他端側は、図示しないマフラと接続されている。配管１５の他端側は図示しない車両のエアインテークに開口している。配管１４は、ターボチャージャ７を介して配管１１と連通している。同様に、配管１５は、ターボチャージャ７を介して配管１２と連通している。
【００３０】
排気還流路としての上記の配管９は、エンジン５で生じた排気の一部をエンジン５に還流排気として還流させる。この配管９の一端側は配管１１に接続されている。より詳細には、配管９の一端側は、配管１１とターボチャージャ７との接続位置よりも排気の流通方向の上流側で配管１１と接続されている。これにより、配管９には、配管１１を流通する排気の一部が還流排気として流通可能となっている。そして、配管９の他端側は配管１２と接続されている。より詳細には、配管９の他端側は、配管１２とボイラ１９の第１流入口１９ａとの接続位置よりも加圧空気の流通方向の上流側で配管１２と接続している。これにより、配管９を流通する還流排気は配管１２において加圧空気と合流し、配管１２において互いに混合されることで混合空気となる。また、配管９には可変バルブ１７が設けられている。この可変バルブ１７は制御装置１０と電気的に接続されている。
【００３１】
ランキンサイクル３は、電動ポンプＰ１と、ボイラ１９と、膨張機２１と、凝縮器２３と、配管２５〜２７とを有している。配管２５〜２７には、作動流体としてのＨＦＣ１３４ａが流通可能となっている。
【００３２】
ボイラ１９はステンレス製である。このボイラ１９には、第１流入口１９ａ及び第１流出口１９ｂと、第２流入口１９ｃ及び第２流出口１９ｄとが形成されている。また、ボイラ１９内には、両端側でそれぞれ第１流入口１９ａ及び第１流出口１９ｂと連通する第１通路１９ｅと、両端側でそれぞれ第２流入口１９ｃ及び第２流出口１９ｄと連通する第２通路１９ｆとが設けられている。このボイラ１９では、第１通路１９ｅ内の混合空気と、第２通路１９ｆ内の作動流体との熱交換により、混合空気の冷却と作動流体の加熱とを行う。
【００３３】
膨張機２１には、その内部に作動流体を流入させる流入口２１ａと、作動流体を流出させる流出口２１ｂとが形成されている。膨張機２１では、ボイラ１９を経て加熱された作動流体を膨張させることにより回転駆動力を発生させる。この膨張機２１には図示しない公知の発電機が接続されている。発電機は膨張機２１の回転駆動力によって発電を行い、図示しないバッテリに電力を充電する。
【００３４】
凝縮器２３には、その内部に作動流体を流入させる流入口２３ａと、作動流体を流出させる流出口２３ｂとが形成されている。凝縮器２３は、その内部を流通する作動流体と車外の空気との間で熱交換を行い、膨張機２１での膨張によって気化された作動流体を冷却して液化させる。凝縮器２３の近傍には電動ファン２３ｃが設けられている。この電動ファン２３ｃは制御装置１０に電気的に接続されている。
【００３５】
これらのボイラ１９、膨張機２１及び凝縮器２３は、配管２５〜２７によって接続されている。具体的には、凝縮器２３の流出口２３ｂと、ボイラ１９の第２流入口１９ｃとは配管２５によって接続されている。ボイラ１９の第２流出口１９ｄと、膨張機２１の流入口２１ａとは配管２６によって接続されている。そして、膨張機２１の流出口２１ｂと凝縮器２３の流入口２３ａとは配管２７によって接続されている。
【００３６】
電動ポンプＰ１は配管２５に設けられている。この電動ポンプＰ１を作動させることにより、作動流体は、図２に示すように、電動ポンプＰ１からボイラ１９及び膨張機２１を経て凝縮器２３に至る順で配管２５〜２７内を循環する。
【００３７】
図１に示すように、制御装置１０は、可変バルブ１７の開度を調整するマップを記憶している。制御装置１０はこのマップに基づき配管９に流入する排気（還流排気）の流量を調整する。また、制御装置１０は電動ファン２３ｃの作動制御を行うことで、作動流体が外気に放熱する熱量の調整を行う。さらに、制御装置１０は、電動ポンプＰ１の作動制御を行う。
【００３８】
このように構成された廃熱利用装置では、車両を駆動させることにより以下のように作動する。
【００３９】
図２に示すように、車両が駆動されることにより、駆動系１ではエンジン５が作動する。これにより、排気口５ａから排出された排気が配管１１内を流通する。この際、制御装置１０は可変バルブ１７を開制御し、配管１１内を流通する排気の一部を配管９内に流入させる（同図の一点鎖線矢印参照）。なお、上記のマップに基づき可変バルブ１７の開度を制御する。
【００４０】
配管９へ流入せずに配管１１を流通する排気は、ターボチャージャ７及び配管１４を経てマフラから車外に排出される（同一点鎖線矢印参照）。この際、排気によってターボチャージャ７が作動される。これにより、外気が配管１５よりターボチャージャ７に吸引され、圧縮される。この外気は加圧空気として、配管１２を流通する（同図の二点鎖線矢印参照）。
【００４１】
一方、配管９に流入した排気は還流排気として配管９を流通し、配管９と配管１２との接続箇所において、配管１２内を流通する加圧空気と合流する。これにより、加圧空気と還流排気とが混合されて混合空気となる。ここで、還流排気は約５００°Ｃ程度の温度となっており、また、加圧空気は約１５０°Ｃ程度の温度となっていることから、この混合空気は非常に高温となっている。そして、この混合空気は、ボイラ１９の第１通路１９ｅ及び配管１３を経てエンジン５の吸気口５ｂに至る（同図の破線矢印参照）。つまり、加圧空気は混合空気としてエンジン５に吸入されるとともに、還流排気は混合空気としてエンジン５に還流することとなる。
【００４２】
また、制御装置１０は、電動ポンプＰ１及び電動ファン２３ｃをそれぞれ作動させる。これにより、ランキンサイクル３では、同図の実線矢印に示すように、電動ポンプＰ１によって吐出された作動流体が配管２５を経て、ボイラ１９の第２流入口１９ｃから第２通路１９ｆに至る。そして、作動流体はボイラ１９において、第１通路１９ｅを流通する混合空気との間で熱交換を行い、加熱される。一方、作動流体との熱交換により、混合空気は冷却される。
【００４３】
ボイラ１９において加熱された作動流体は、高温高圧の状態で第２流出口１９ｄから流出し、配管２６を経て膨張機２１の流入口２１ａから膨張機２１内へ至る。そして、高温高圧の作動流体は膨張機２１内で膨張し、減圧される。この際の圧力エネルギーにより、膨張機２１に接続された発電機は発電を行う。
【００４４】
膨張機２１内で減圧された作動流体は流出口２１ｂから流出し、配管２７を経て凝縮器２３の流入口２３ａから凝縮器２３内へ至る。凝縮器２３の作動流体は、凝縮器２３の周りの空気に放熱を行い、冷却される。この際、制御装置１０は電動ファン２３ｃの作動量を適宜変更して、作動流体を好適に放熱させて液化させる。冷却された作動流体は流出口２３ｂから流出し、配管２５を経て再びボイラ１９に至ることとなる。
【００４５】
これらのように、この廃熱利用装置のランキンサイクル３では、ボイラ１９において、上記のような高温の混合空気と作動流体とが熱交換される。これにより、ボイラ１９によって作動流体を十分に加熱でき、膨張機２１に流入する作動流体をスーパーヒートの状態又はスーパーヒートに近い状態とすることが可能となっている。このため、この廃熱利用装置では、膨張機２１における作動流体の膨張及び減圧時によって生じる圧力エネルギーを大きくすることが可能となる。また、このように作動流体が十分に加熱された状態であることから、膨張機２１内で作動流体が液化することが防止される。これらのため、この廃熱利用装置では、ランキンサイクル３において回収可能なエネルギー、すなわち、電力の量が多くなるとともに、液バック現象が抑制されて膨張機２１も損傷し難くなっている。
【００４６】
一方、凝縮器２３において放熱され、液化された作動流体、すなわち、低温の作動流体が配管２５を経てボイラ１９に流入するため、ボイラ１９における熱交換において、混合空気は十分に冷却される。これにより混合空気の密度が十分に大きくなることから、この廃熱利用装置では、エンジン５に対してより多くの混合空気（加圧空気）を供給可能となっている。また、このように混合空気が冷却されることで、還流排気も冷却されることとなる。このため、この廃熱利用装置では、エンジン５の出力を向上できる他、配管１４及びマフラを経て、最終的に大気中に放出された際の排気中における窒素酸化物の含有量を低減させることも可能となっている。
【００４７】
さらに、この廃熱利用装置では、ボイラ１９において混合空気と作動流体とが熱交換を行うことで、一つのボイラ１９において、加圧空気と作動流体との熱交換と、還流排気と作動流体との熱交換とを同時に行うことが可能となっている。このため、この廃熱利用装置では、省スペース化を実現している。また、例えば、ボイラ内に加圧空気用通路と還流排気用通路をそれぞれ設け、それらを個別に作動流体で冷却（熱交換）する場合に比べて、ボイラの出入り口に必要な継ぎ手の数を減少させることもできる。
【００４８】
したがって、この廃熱利用装置によれば、ランキンサイクル３における電力の回収量の向上を図りつつ、エンジン５の出力の向上が実現可能であるとともに、耐久性及び搭載性を高くすることができる。
【００４９】
特に、この廃熱利用装置では、ボイラ１９において作動流体と熱交換を行なう混合空気は、加圧空気と還流排気とが混合されている。このため、ターボチャージャ７のコンプレッサ部には外気のみが吸引されることから、ターボチャージャ７のコンプレッサ部に用いる材質に対する制限を緩和することが可能となっている。また、上記のように、加圧空気の温度は１５０°Ｃ程度であり、外気の温度よりもはるかに高くなっている。このため、この廃熱利用装置では、還流排気と混合した際の混合空気の温度を高い状態とすることが可能となっている。このため、この廃熱利用装置では、ランキンサイクル３で回収可能な電力の量が多くなっている。
【００５０】
また、ボイラ１９はステンレス製となっている。ステンレスは混合空気中に含まれる硫黄成分に対する耐性が高いため、ボイラ１９の耐久性が高くなり、ひいては、廃熱利用装置の耐久性が高くなっている。ここで、上記のように、加圧空気と還流排気とを混合して混合空気となるため、ボイラ１９のみステンレス製とし、ターボチャージャ７には、そのコンプレッサ部がアルミニウム合金製である公用品を採用することができる。このため、ボイラ１９をステンレス製とした場合であっても、廃熱利用装置の製造コストの上昇を抑制することが可能となっている。
【００５１】
以上において、本発明を実施例に即して説明したが、本発明は上記実施例に制限されるものではなく、その趣旨を逸脱しない範囲で適宜変更して適用できることはいうまでもない。
【００５２】
例えば、ランキンサイクル３において、ボイラ１９の他に、冷却水と作動流体との間で熱交換を行う第２のボイラや、配管１４を流通する排気と作動流体との間で熱交換を行う第３のボイラ等を設けても良い。このような第２、第３のボイラ等を設ける場合、ボイラ１９において低温の作動流体によって、好適に混合空気の冷却を行うため、ランキンサイクル３において、これらの各ボイラより作動流体の循環方向の上流にボイラ１９を設けることが好ましい。また、これら第２のボイラや第３のボイラを作動流体が迂回可能なバイパス路を設けることで、ボイラ１９に低温の作動流体を流入させることも可能である。
【００５３】
また、ボイラ１９において作動流体と熱交換される混合空気として、配管１５において外気と還流排気とが混合されたものとしてもよい。この場合、ターボチャージャ７のコンプレッサ部に還流排気が吸引されるため、コンプレッサ部を硫黄成分に対して耐性を有する材質とする必要がある。
【産業上の利用可能性】
【００５４】
本発明は車両等に利用可能である。
【符号の説明】
【００５５】
１…駆動系
３…ランキンサイクル
５…エンジン（内燃機関）
７…ターボチャージャ（過給器）
９…配管（排気還流路）
１９…ボイラ
【図１】
2013068139.tif 000003
【図２】
2013068139.tif 000004